【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】
自己の位置を示す位置情報を取得して送信する位置取得部を有する情報処理装置を所持する複数の登録ユーザのそれぞれに対応して、該登録ユーザの情報を記憶部に格納して管理する登録ユーザ管理手段と、
前記情報処理装置から送信された検索条件情報を受信する検索条件情報受信手段と、
前記検索条件情報受信手段により受信した前記検索条件情報が指示する検索条件を満足する登録ユーザの情報を、前記記憶部の前記複数の登録ユーザの情報から検索する検索手段と、
前記検索手段による検索結果を、前記検索条件情報の送信元の前記情報処理装置に送信する検索結果送信手段とを備え、
前記登録ユーザの情報は、対応の登録ユーザの前記情報処理装置から受信した前記位置情報を含み、
前記検索条件は、前記位置情報が示す位置が、任意に指定された位置から相対的に離れた位置であるとの条件を含む、情報提供装置。
【請求項２】
前記任意に指定された位置は、前記検索条件情報の送信元の前記情報処理装置の位置である、請求項１に記載の情報提供装置。
【請求項３】
前記任意に指定された位置は、地名で指示される、請求項１に記載の情報提供装置。
【請求項４】
前記登録ユーザの情報は、前記登録ユーザの情報を開示する際に詳細度または項目の開示の許可の有無を示す開示情報を含み、
前記検索結果は、前記開示情報の範囲内で作成される、請求項１記載の情報提供装置。
【請求項５】
前記登録ユーザの情報は、該情報のアクセスを許容するユーザを指示するための受け入れ条件を含み、
前記検索手段は、前記検索条件送信元の前記情報処理装置のユーザの登録ユーザの情報と、前記記憶部に格納された前記複数の登録ユーザの情報それぞれの前記受け入れ条件とを比較し、比較結果に基づき該登録ユーザの情報を検索対象に含めるか否かを決定する、請求項１に記載の情報提供装置。
【請求項６】
自己の位置を示す位置情報を取得して送信する位置取得部を有する情報処理装置を所持する複数の登録ユーザのそれぞれに対応して、該登録ユーザの情報を記憶部に格納して管理する登録ユーザ管理手段と、
前記情報処理装置から送信された検索条件情報と伝達情報とを受信する伝達情報受信手段と、
前記伝達情報受信手段により受信した前記検索条件情報が示す検索条件を満足する登録ユーザの情報を、前記記憶部の前記複数の登録ユーザの情報から検索する検索手段と、
前記検索手段により検索された前記登録ユーザの情報に対応のユーザが所持する前記情報処理装置に、前記前記伝達情報受信手段により受信した前記伝達情報を送信する伝達情報送信手段とを備え、
前記登録ユーザの情報は、対応の登録ユーザの前記情報処理装置から受信した前記位置情報を含み、
前記検索条件は、前記位置情報が示す位置が、任意に指定された位置から相対的に離れた位置であるとの条件を含む、情報提供装置。
【請求項７】
前記登録ユーザの情報は、前記伝達情報の受信を受け入れるための受け入れ条件が含まれ、
前記検索手段は、前記伝達情報の送信元の前記情報処理装置のユーザの登録ユーザの情報と、前記記憶部に格納された前記複数の登録ユーザの情報それぞれの前記受け入れ条件とを比較し、比較結果に基づき該登録ユーザの情報を検索対象に含めるか否かを決定する、請求項６に記載の情報提供装置。
【請求項８】
前記登録ユーザ管理手段は、前記登録ユーザの情報の変更情報を該登録ユーザが所持する情報処理装置から受信し、受信した前記変更情報に基づき、前記記憶部の該登録ユーザの情報を更新することを特徴とする、請求項１および請求項６に記載の情報提供装置。
【請求項９】
複数の登録ユーザそれぞれが所持する情報処理装置と、少なくとも１つの情報提供装置とで構成される情報提供システムにおける情報提供方法であって、
前記情報処理装置は、自己の位置を示す位置情報を取得して送信する位置取得部を有し、
前記情報提供装置において、
前記複数の登録ユーザのそれぞれに対応して、該登録ユーザの情報を記憶部に格納して管理する登録ユーザ管理ステップと、
前記情報処理装置から送信された検索条件情報を受信する検索条件情報受信ステップと、
前記検索条件情報受信ステップにより受信した前記検索条件情報が示す検索条件を満足する登録ユーザの情報を、前記記憶部の前記複数の登録ユーザの情報から検索する検索ステップと、
前記検索ステップによる検索結果を、前記検索条件情報の送信元の前記情報処理装置に送信する検索結果送信ステップとを備え、
前記登録ユーザの情報は、対応の登録ユーザが所持する前記情報処理装置から受信した前記位置情報を含み、
前記検索条件は、前記位置情報が示す位置が、任意に指定された位置から相対的に離れた位置であるとの条件を含む、情報提供方法。
【請求項１０】
複数の登録ユーザそれぞれが所持する情報処理装置と、少なくとも１つの情報提供装置とで構成される情報提供システムにおける情報提供方法であって、
前記情報処理装置は、自己の位置を示す位置情報を取得して送信する位置取得部を有し、
前記情報提供装置において、
前記複数の登録ユーザのそれぞれに対応して、該登録ユーザの情報を記憶部に格納して管理する登録ユーザ管理ステップと、
前記情報処理装置から送信された検索条件情報と伝達情報とを受信する伝達情報受信ステップと、
前記伝達情報受信ステップにより受信した前記検索条件情報が示す検索条件を満足する登録ユーザの情報を、前記記憶部の前記複数の登録ユーザの情報から検索する検索ステップと、
前記検索ステップにより検索された前記登録ユーザの情報に対応のユーザが所持する前記情報処理装置に、前記伝達情報受信ステップにより受信した前記伝達情報を送信する伝達情報送信ステップとを備え、
前記登録ユーザの情報は、対応の登録ユーザの前記情報処理装置から受信した前記位置情報を含み、
前記検索条件情報は、前記位置情報が示す位置が、任意に指定された位置から相対的に離れた位置であるとの条件を含む、情報提供方法。
【請求項１１】
請求項９に記載の情報提供方法をコンピュータに実行させるための情報提供プログラム。
【請求項１２】
請求項１０に記載の情報提供方法をコンピュータに実行させるための情報提供プログラム。
【請求項１３】
請求項１１に記載の情報提供プログラムを記録したコンピュータ読み取り可能な記録媒体。
【請求項１４】
請求項１２に記載の情報提供プログラムを記録したコンピュータ読み取り可能な記録媒体。
【手続補正２】
【補正対象書類名】明細書
【補正対象項目名】０００６
【補正方法】変更
【補正の内容】
【０００６】
【課題を解決するための手段】
この発明のある局面に従う情報提供装置は、自己の位置を示す位置情報を取得して送信する位置取得部を有する情報処理装置を所持する複数の登録ユーザのそれぞれに対応して、該登録ユーザの情報を記憶部に格納して管理する登録ユーザ管理手段と、
前記情報処理装置から送信された検索条件情報を受信する検索条件情報受信手段と、
前記検索条件情報受信手段により受信した前記検索条件情報が指示する検索条件を満足する登録ユーザの情報を、前記記憶部の前記複数の登録ユーザの情報から検索する検索手段と、
前記検索手段による検索結果を、前記検索条件情報の送信元の前記情報処理装置に送信する検索結果送信手段とを備え、
前記登録ユーザの情報は、対応の登録ユーザの前記情報処理装置から受信した前記位置情報を含み、
前記検索条件は、前記位置情報が示す位置が、任意に指定された位置から相対的に離れた位置であるとの条件を含む。
【手続補正３】
【補正対象書類名】明細書
【補正対象項目名】０００７
【補正方法】変更
【補正の内容】
【０００７】
好ましくは、任意に指定された位置は、前記検索条件情報の送信元の前記情報処理装置の位置である。
【手続補正４】
【補正対象書類名】明細書
【補正対象項目名】０００８
【補正方法】変更
【補正の内容】
【０００８】
好ましくは、任意に指定された位置は、地名で指示される。
【手続補正５】
【補正対象書類名】明細書
【補正対象項目名】０００９
【補正方法】変更
【補正の内容】
【０００９】
好ましくは、登録ユーザの情報は、前記登録ユーザの情報を開示する際に詳細度または項目の開示の許可の有無を示す開示情報を含み、前記検索結果は、前記開示情報の範囲内で作成される。
【手続補正６】
【補正対象書類名】明細書
【補正対象項目名】００１０
【補正方法】変更
【補正の内容】
【００１０】
好ましくは、登録ユーザの情報は、該情報のアクセスを許容するユーザを指示するための受け入れ条件を含み、前記検索手段は、前記検索条件送信元の前記情報処理装置のユーザの登録ユーザの情報と、前記記憶部に格納された前記複数の登録ユーザの情報それぞれの前記受け入れ条件とを比較し、比較結果に基づき該登録ユーザの情報を検索対象に含めるか否かを決定する。
【手続補正７】
【補正対象書類名】明細書
【補正対象項目名】００１１
【補正方法】変更
【補正の内容】
【００１１】
この発明の他の局面に従う情報提供装置は、自己の位置を示す位置情報を取得して送信する位置取得部を有する情報処理装置を所持する複数の登録ユーザのそれぞれに対応して、該登録ユーザの情報を記憶部に格納して管理する登録ユーザ管理手段と、
前記情報処理装置から送信された検索条件情報と伝達情報とを受信する伝達情報受信手段と、
前記伝達情報受信手段により受信した前記検索条件情報が示す検索条件を満足する登録ユーザの情報を、前記記憶部の前記複数の登録ユーザの情報から検索する検索手段と、
前記検索手段により検索された前記登録ユーザの情報に対応のユーザが所持する前記情報処理装置に、前記前記伝達情報受信手段により受信した前記伝達情報を送信する伝達情報送信手段とを備え、
前記登録ユーザの情報は、対応の登録ユーザの前記情報処理装置から受信した前記位置情報を含み、
前記検索条件は、前記位置情報が示す位置が、任意に指定された位置から相対的に離れた位置であるとの条件を含む。
【手続補正８】
【補正対象書類名】明細書
【補正対象項目名】００１２
【補正方法】変更
【補正の内容】
【００１２】
好ましくは、登録ユーザの情報は、前記伝達情報の受信を受け入れるための受け入れ条件が含まれ、前記検索手段は、前記伝達情報の送信元の前記情報処理装置のユーザの登録ユーザの情報と、前記記憶部に格納された前記複数の登録ユーザの情報それぞれの前記受け入れ条件とを比較し、比較結果に基づき該登録ユーザの情報を検索対象に含めるか否かを決定する。
【手続補正９】
【補正対象書類名】明細書
【補正対象項目名】００１３
【補正方法】変更
【補正の内容】
【００１３】
好ましくは、登録ユーザ管理手段は、前記登録ユーザの情報の変更情報を該登録ユーザが所持する情報処理装置から受信し、受信した前記変更情報に基づき、前記記憶部の該登録ユーザの情報を更新する。
【手続補正１０】
【補正対象書類名】明細書
【補正対象項目名】００１４
【補正方法】変更
【補正の内容】
【００１４】
この発明のさらに他の局面に従う情報提供方法は、複数の登録ユーザそれぞれが所持する情報処理装置と、少なくとも１つの情報提供装置とで構成される情報提供システムにおける情報提供方法であって、
前記情報処理装置は、自己の位置を示す位置情報を取得して送信する位置取得部を有し、
前記情報提供装置において、
前記複数の登録ユーザのそれぞれに対応して、該登録ユーザの情報を記憶部に格納して管理する登録ユーザ管理ステップと、
前記情報処理装置から送信された検索条件情報を受信する検索条件情報受信ステップと、
前記検索条件情報受信ステップにより受信した前記検索条件情報が示す検索条件を満足する登録ユーザの情報を、前記記憶部の前記複数の登録ユーザの情報から検索する検索ステップと、
前記検索ステップによる検索結果を、前記検索条件情報の送信元の前記情報処理装置に送信する検索結果送信ステップとを備え、
前記登録ユーザの情報は、対応の登録ユーザが所持する前記情報処理装置から受信した前記位置情報を含み、
前記検索条件は、前記位置情報が示す位置が、任意に指定された位置から相対的に離れた位置であるとの条件を含む。
【手続補正１１】
【補正対象書類名】明細書
【補正対象項目名】００１５
【補正方法】変更
【補正の内容】
【００１５】
この発明のさらに他の局面に従う情報提供方法は、複数の登録ユーザそれぞれが所持する情報処理装置と、少なくとも１つの情報提供装置とで構成される情報提供システムにおける情報提供方法であって、
前記情報処理装置は、自己の位置を示す位置情報を取得して送信する位置取得部を有し、
前記情報提供装置において、
前記複数の登録ユーザのそれぞれに対応して、該登録ユーザの情報を記憶部に格納して管理する登録ユーザ管理ステップと、
前記情報処理装置から送信された検索条件情報と伝達情報とを受信する伝達情報受信ステップと、
前記伝達情報受信ステップにより受信した前記検索条件情報が示す検索条件を満足する登録ユーザの情報を、前記記憶部の前記複数の登録ユーザの情報から検索する検索ステップと、
前記検索ステップにより検索された前記登録ユーザの情報に対応のユーザが所持する前記情報処理装置に、前記伝達情報受信ステップにより受信した前記伝達情報を送信する伝達情報送信ステップとを備え、
前記登録ユーザの情報は、対応の登録ユーザの前記情報処理装置から受信した前記位置情報を含み、
前記検索条件情報は、前記位置情報が示す位置が、任意に指定された位置から相対的に離れた位置であるとの条件を含む。
【手続補正１２】
【補正対象書類名】明細書
【補正対象項目名】００１６
【補正方法】変更
【補正の内容】
【００１６】
この発明のさらに他の局面に従うプログラムは、上述の情報提供方法をコンピュータに実行させるためのプログラムである。また、この発明のさらに他の局面に係る記録媒体は、該プログラムを記録したコンピュータ読み取り可能な記録媒体である。